(57)【特許請求の範囲】
【請求項１】
毛髪化粧剤としての染料を含有する第１剤と過酸化水素を含有する第２剤とからなる染毛剤を充填するためのエアゾール容器であって第１剤及び第２剤の夫々を充填するための二つのエアゾール容器と、
該二つのエアゾール容器を連結して固定し、夫々の該エアゾール容器に充填された第１剤と第２剤を外部に吐出するために、該二つのエアゾール容器の端部に係合された吐出ヘッドと、
を備え、
該吐出ヘッドには、
前記第１剤及び前記第２剤を吐出するための吐出口と、
押下することにより前記第１剤と前記第２剤を同時に該吐出口から吐出可能な吐出ボタンと、
が形成された二剤吐出装置において、
前記染料は、ポリエステルを透過する性質を有する染料であり、
前記染料を含有する前記第１剤を充填するためのエアゾール容器は、内面を合成樹脂で被覆された金属製のエアゾール容器で構成され、
前記第２剤を充填するためのエアゾール容器は、透明性又は半透明性を有するポリエステル製のエアゾール容器で構成されていること
を特徴とする二剤吐出装置。
【請求項２】
前記第２剤を充填するためのエアゾール容器は、内部に該第２剤を充填するための透明又は半透明な内袋を備え、内袋の外側となる該エアゾール容器の内部には、該第２剤を押出するための圧縮ガスが充填されていることを特徴とする請求項１に記載の二剤吐出装置。
【請求項３】
前記二つのエアゾール容器は、該二つのエアゾール容器を固定するための透明若しくは半透明なフィルムを備え、
該透明若しくは半透明なフィルムは、該二つのエアゾール容器の周囲に覆設されていることを特徴とする請求項１又は請求項２に記載の二剤吐出装置。
【請求項４】
前記第２剤を充填するためのエアゾール容器には、前記第１剤を充填するためのエアゾール容器を係合するための凹陥部が該エアゾール容器の長手方向に沿って形成されていることを特徴とする請求項１〜請求項３のいずれかに記載の二剤吐出装置。
【発明の詳細な説明】
【０００１】
【発明の属する技術分野】
本発明は、第１剤と第２剤とから構成される毛髪化粧剤が充填された二剤吐出装置に関する。
【０００２】
【従来の技術】
従来より、毛髪化粧剤として、剤型が泡状やクリーム状の毛髪脱色剤や染毛剤などがある。そして、それらを細かく分類すると、一つの薬剤により染毛効果若しくは脱色効果を発揮する一剤式毛髪化粧剤と、第１剤と第２剤とから構成され、それらを混合して毛髪に塗布することによって染毛効果若しくは脱色効果を発揮する二剤式毛髪化粧剤とがある。
【０００３】
特に、二剤式毛髪化粧剤は、染毛や脱色の効果がすぐれているため、広く一般に使用されているが、一剤式の毛髪化粧剤を使用する場合と比較して、二つの薬剤（第１剤及び第２剤）が夫々充填されたチューブ容器から、第１剤と第２剤とを別に用意した容器に移して、ハケ等で混合してから、毛髪に塗布しなければならないという染毛の操作における煩わしさがあるため、二つのエアゾール容器をまとめて、一つのボタン操作で第１剤と第２剤とを簡単に吐出できるようにした二剤吐出装置が発明されている。
【０００４】
この二剤吐出装置は、一般に、第１剤と第２剤のそれぞれを充填するための二つのエアゾール容器と、エアゾール容器内部の毛髪化粧剤を吐出するための吐出ヘッドとを備えており、吐出ヘッドに形成されたボタンを押下すると、エアゾール容器から第１剤と第２剤とが吐出口から吐出されるようになっている。
【０００５】
そして、このような二剤吐出装置を構成する二つのエアゾール容器は、両方とも、同じアルミニウム板やブリキ板などの金属板で形成されており、また、毛髪化粧剤は過酸化水素などの金属腐食性を有する薬品を含有しているため、エアゾール容器の内面となる金属面に合成樹脂が被覆されている。
【０００６】
【発明が解決しようとする課題】
しかしながら、上記従来技術には以下のような問題点があった。
上記金属製のエアゾール容器に形成された合成樹脂の被覆は、外部からの衝撃に弱く、外部からの衝撃によってエアゾール容器が変形したりすると、内面の合成樹脂は剥がれ落ち、その金属面が剥き出しになってしまうことがあった。そして、この結果、過酸化水素などが含まれる毛髪化粧剤がこのようなエアゾール容器に充填されていると、過酸化水素が金属面に接触して分解するため、金属面が腐食する可能性があった。
【０００７】
また、金属腐食と同時に毛髪化粧剤も分解され、それによって、毛髪化粧剤の染毛効果、脱色効果が失われてしまうことがあり、毛髪化粧剤が充填された金属製のエアゾール容器を搬送する際には、緩衝材を用いるなどして、内面の被覆が剥がれないように細心の注意を払う必要があった。
【０００８】
その他、従来の金属製のエアゾール容器は、非透明であるため、使用者が充填された毛髪化粧剤の残量を確認するには、エアゾール容器を振るなどして、残量を推測することしかできないことが問題となっていた。つまり、例えば、毛髪化粧剤が残り僅かしかない事に使用者が気づかないと、毛髪化粧剤を使用して毛髪に塗布している最中に、毛髪化粧剤がなくなってしまい、毛髪に染毛ムラや脱色ムラが発生するという問題があった。
【０００９】
本発明は、こうした問題に鑑みなされたものであり、エアゾール容器が腐食し、毛髪化粧剤が分解するのを抑えることができ、且つ、毛髪化粧剤の残量を視覚的に確認することができる二剤吐出装置を提供することを目的とする。
【００１０】
【課題を解決するための手段】
かかる目的を達成するために、請求項１に記載の発明は、毛髪化粧剤としての染料を含有する第１剤と過酸化水素を含有する第２剤とからなる染毛剤を充填するためのエアゾール容器であって第１剤及び第２剤の夫々を充填するための二つのエアゾール容器と、該二つのエアゾール容器を連結して固定し、夫々の該エアゾール容器に充填された第１剤と第２剤を外部に吐出するために、該二つのエアゾール容器の端部に係合された吐出ヘッドと、を備え、該吐出ヘッドには、第１剤及び第２剤を吐出するための吐出口と、押下することにより第１剤と第２剤を同時に該吐出口から吐出可能な吐出ボタンと、が形成された二剤吐出装置であって、染料がポリエステルを透過する性質を有する染料であり、この染料を含有する第１剤を充填するためのエアゾール容器が、内面を合成樹脂で被覆された金属製のエアゾール容器で構成されており、第２剤を充填するためのエアゾール容器が、透明性又は半透明性を有するポリエステル製のエアゾール容器で構成されていることを特徴とする。
【００１２】
本発明の二剤吐出装置によれば、ポリエステル製のエアゾール容器が透明又は半透明となっているので、使用者は、エアゾール容器内の毛髪化粧剤の残量を確認することができて、毛髪化粧剤を毛髪に塗布している途中で、毛髪化粧剤がなくなってしまい、操作を中断しなければならないという事態を回避できる。また、塗布するための十分な毛髪化粧剤を確保できなかったために、脱色ムラや染めムラが発生してしまうという事態も回避することができる。
【００１５】
また、本発明において第１剤を金属製のエアゾール容器に充填するようにしているのは、ポリエステル製のエアゾール容器に第１剤を充填すると、第１剤に含まれる染料がプラスチック（ポリエステル）の層を透過し、エアゾール容器の外部に漏出してしまう可能性があるからである。つまり、本発明の二剤吐出装置では、第１剤を充填するエアゾール容器を金属製として、染料がエアゾール容器を透過して外部から漏出するのを防いでいる。
【００１６】
尚、金属製のエアゾール容器は、そのままでは第１剤と直接接触することにより腐食してしまうため、本発明の二剤吐出装置では、エアゾール容器の内側を合成樹脂で被覆して、エアゾール容器の金属面に直接第１剤が接触するのを防いで、エアゾール容器が腐食するのを防いでいる。
【００１７】
一方、過酸化水素を含有する第２剤は、第１剤より強い金属腐食性を有するため、第２剤をポリエステル製のエアゾール容器に充填することにより、第２剤によってエアゾール容器が腐食するのを防いで、さらに、第２剤が金属との反応により分解するのを防いでいる。即ち、この二剤吐出装置によれば、第１剤と第２剤のうち特に金属腐食性の高い第２剤をポリエステル製のエアゾール容器に充填するようにしているので、エアゾール容器の腐食を防ぐことができ、毛髪化粧剤がエアゾール容器と反応して分解されるのを防ぐことができる。
【００１８】
また、第２剤が充填されるポリエステル製のエアゾール容器は、金属製のエアゾール容器と比較して弾性があるので、緩衝材として金属製のエアゾール容器を外部の衝撃から保護することができる。即ち、第２剤が充填されるポリエステル製のエアゾール容器は、弾性を持ち、外部からの衝撃を吸収する緩衝材としての役割を果たす。このため、本発明の二剤吐出装置によれば、エアゾール容器の搬送時などに、隣接する金属製のエアゾール容器の内面の合成樹脂の被覆が、外部からの衝撃によって剥がれ落ちるのを抑えることができる。その他、本発明の二剤吐出装置によれば、エアゾール容器を合成樹脂の中でもポリエステルで形成しているので、熱による変形や外部からの衝撃による破損を最小限に抑えることができる。
【００１９】
また、請求項２に記載の二剤吐出装置は、第２剤を充填するためのエアゾール容器が、内部に第２剤を充填するための透明又は半透明な内袋を備え、内袋の外側となる該エアゾール容器の内部に、第２剤を押出するための圧縮ガスが充填された構成にされていることを特徴とする。
【００２０】
このような構成では、吐出ヘッドの吐出ボタンを押下することによって、内袋に充填されたクリーム状などの非泡状で半固体状である毛髪化粧剤を押出することができる。さらに、毛髪化粧剤を充填するエアゾール容器が多重構造となるため、内袋から毛髪化粧剤が漏出しないかぎり、エアゾール容器に毛髪化粧剤が接触することはなく、エアゾール容器の腐食を防止することができる。また、内袋が透明又は半透明であるので、毛髪化粧剤を、透明なエアゾール容器の側壁と内袋を通して確認することができる。
【００２１】
また、請求項３に記載の二剤吐出装置は、二つのエアゾール容器を固定するための透明若しくは半透明なフィルムを備え、該透明若しくは半透明なフィルムは、該二つのエアゾール容器の周囲に覆設されていることを特徴とする。
【００２２】
このような構成の二剤吐出装置は、二つのエアゾール容器を透明又は半透明なフィルムによって互いに固定できるから、一方のエアゾール容器に対して他のエアゾール容器がぐらつくのを抑えることができ、結果として、エアゾール容器が互いに衝撃を与えて損傷するのを抑えることができる。例えば、内面が合成樹脂で被覆された金属製のエアゾール容器であれば、衝撃により合成樹脂が剥がれ落ち、エアゾール容器内の充填物と金属面が反応するのを防ぐことができるし、内袋を備えたエアゾール容器であれば、内袋が破損するのを防止することができる。
【００２３】
また、従来、フィルムは非透明性のものが使用されていたが、このように透明又は半透明なフィルムとすることによって、利用者は、透明又は半透明なポリエステル製のエアゾール容器の内部を見ることができ、内部に充填された毛髪化粧剤の残量を確認することができる。
【００２４】
また、請求項４に記載の二剤吐出装置は、第２剤を充填するためのポリエステル製のエアゾール容器に、第１剤を充填するためのエアゾール容器を係合するための凹陥部が該エアゾール容器の長手方向に沿って形成されていることを特徴とする。
【００２５】
このような構成にすると、凹陥部を有するエアゾール容器は、凹陥部に係合された金属製のエアゾール容器の側面を凹陥部で包囲することができるから、凹陥部に係合した金属製のエアゾール容器を保護することができる。つまり、凹陥部を有するエアゾール容器は、金属製のエアゾール容器に対する緩衝材の役目を果たして、金属製のエアゾール容器が外部からの衝撃により傷つくのを抑えることができる。よって、この発明によれば、外部からの衝撃によって、内部の合成樹脂が剥がれ落ちるのを抑えることができるし、内袋を備えたエアゾール容器であれば、内袋が破損するのを防止することができる。
【００２６】
【発明の実施の形態】
以上に説明した本発明の二剤吐出装置の構成、作用を一層明らかにするために、以下に本発明の実施形態について、図面とともに説明する。
図１は、本発明の二剤吐出装置１の構成を表す説明図であり、その斜視図である。
【００２７】
図１に示すように、二剤吐出装置１は、金属製のエアゾール容器３と、プラスチック製のエアゾール容器５ａと、吐出ヘッド７と、から構成され、これら二つのエアゾール容器３，５ａは、固定具９により上端部が並列に固定されている。
また、吐出ヘッド７には、吐出口１１と吐出ボタン１３が形成されており、吐出ヘッド７は、固定具９の図１の矢印に示された位置に固定されることによって、エアゾール容器３，５ａの上端部に固定される。そして、エアゾール容器３，５ａに固定された吐出ヘッド７は、その吐出ボタン１３が押下されると、エアゾール容器３，５ａの内部の充填物１４をステム１５から排出し、吐出口１１から充填物１４が吐出されるようになっている。
【００２８】
金属製のエアゾール容器３及びプラスチック製のエアゾール容器５ａは、共に、一端が閉塞された略円筒状に形成された内部に毛髪化粧剤（充填物１４）を充填するための容器部１７と、容器部１７を密閉するために容器部１７の開口端である上端部に装着されたマウンティングカップ１９とを備えている。また、マウンティングカップ１９には、容器部１７の内部の充填物１４を外部に排出するためのステム１５が固定されている。
【００２９】
このステム１５は、エアゾール容器３，５ａの外部に向かって、エアゾール容器３，５ａの長手方向の中心軸に平行に突設された円筒状の管であり、吐出ボタン１３を介してステム１５の中心軸に沿ってステム１５をエアゾール容器方向に押下することにより、このステム１５のエアゾール容器３，５ａの内部側に取り付けられた図示されないバルブが開放され、エアゾール容器３，５ａの内部から充填物１４が外部に排出されるようになっている。
【００３０】
そして、金属製のエアゾール容器３には、毛髪染毛剤のうち染料を含有する第１剤が充填されており、プラスチック製のエアゾール容器５ａには、過酸化水素を含有する第２剤が充填されている。尚、本実施形態の二剤吐出装置１に充填される毛髪染毛剤は、公知の毛髪染毛剤であり、第１剤に染料を含有し、第２剤に、過酸化水素等を含有しているものとする。
【００３１】
ここで、このように染料を含有する第１剤を金属製のエアゾール容器３に充填するようにしたのは、第１剤に含有される染料がポリエステル等の合成樹脂で形成されたプラスチックの層を透過する性質を持ち、第１剤に含有される染料をプラスチック製のエアゾール容器等に充填すると、染料が外部に漏出してしまうのからである。換言すると、染料は、金属の層を透過しないから、このようにエアゾール容器３を金属製にして、染料がエアゾール容器３の外部に漏出するのを防止している。
【００３２】
尚、第１剤が充填される金属製のエアゾール容器３は、ブリキ、ステンレススチール、アルミニウム等で形成され、エアゾール容器３の内面は、第１剤による金属の腐食を防止するために、その内面が合成樹脂で被覆されている。
つまり、金属製のエアゾール容器３の内面はエポキシフェノール樹脂、エポキシユリア樹脂、エポキシアミノ樹脂、エポキシアミン樹脂のシングルコート、ダブルコート、あるいはトリプルコートで塗装されている。尚、金属製のエアゾール容器３を形成する金属として汎用性の面から特に好ましい材質は、ブリキやアルミニウムである。
【００３３】
そして、このように形成された金属製のエアゾール容器３は、エアゾール容器３の金属面に第１剤が接触することがないため、第１剤に対する耐腐食性を有することとなる。
一方、過酸化水素を含有する第２剤をプラスチック製のエアゾール容器５ａに充填するようにしたのは、過酸化水素が強い酸化作用を持ち、金属を腐食させるからであり、エアゾール容器５ａをプラスチック製とすることによって、エアゾール容器５ａと過酸化水素が反応し、エアゾール容器５ａが腐食され、第２剤が分解されるのを防止している。
【００３４】
尚、第２剤が充填されるプラスチック製のエアゾール容器５ａは、ポリエチレンテレフタラート（ＰＥＴ）、ポリエチレンブチレート等のポリエステルで形成される。つまり、ここでいうプラスチック製のエアゾール容器は、本発明のポリエステル製のエアゾール容器に相当する。尚、特に、耐溶剤性の面から好ましい材質は、ポリエチレンテレフタラート（ＰＥＴ）である。
【００３５】
また、プラスチック製のエアゾール容器５ａは、内部の第２剤の残量を視覚的に確認できるようにするため、透明なプラスチック製のエアゾール容器５ａとなっている。尚、図１に示した二剤吐出装置１の点線部分は、エアゾール容器５ａの外部から見た透明なエアゾール容器５ａの内部を示すものであり、図１から、透明なエアゾール容器５ａの内部の充填物１４である第２剤の残量が視認できることがわかる。
【００３６】
次に、金属製のエアゾール容器３及びプラスチック製のエアゾール容器５ａ，５ｂの容器内の構造と、第１剤、第２剤の充填の態様を図２を示しつつ説明する。尚、図２は、透明なプラスチック製のエアゾール容器５ａ，５ｂの構成を表す概略図であり、図２（ａ）は後述の内袋を持たない単層構造のエアゾール容器５ａの正面図、図２（ｂ）は、後述の内袋が形成された多層構造のエアゾール容器５ｂの正面図である。また、尚、図２（ａ）（ｂ）に示す点線は、エアゾール容器５ａ，５ｂの外部から見た際に透けて見えるエアゾール容器５ａ，５ｂの内部の構成を示している。
【００３７】
まず、金属製のエアゾール容器３の内部の構成は後述することにして、透明なプラスチック製のエアゾール容器５ａ，５ｂの内部の構成と、毛髪化粧剤の充填の態様を説明することとする。
図２（ａ）に示したエアゾール容器５ａは、図１に示した二剤吐出装置の透明なプラスチック製のエアゾール容器５ａであり、このような構成のエアゾール容器５ａは、毛髪化粧剤の中でも特に、外部へ吐出する際の剤型が泡状（以下単に、泡状とする。）となるものを充填するためのエアゾール容器５ａである。
【００３８】
つまり、このプラスチック製のエアゾール容器５ａ内部は、単層構造であり、エアゾール容器５ａの内側に液状の第２剤（充填物１４）と液化ガス、圧縮ガス等からなる噴射剤とが充填されている。
そして、このように第２剤が充填されたエアゾール容器５ａの上端部のステム１５を押下すると、ステム１５から噴射剤とともに第２剤が噴射され、染毛剤は泡状となって吐出されようになっている。
【００３９】
尚、この透明なエアゾール容器５ａ内部の第２剤（充填物１４）は液状であるから、第２剤を使用していくと、徐々に液面が下がっていき、使用者は、それをエアゾール容器５ａの外部から確認することができて、残量も明瞭に把握することができるようになっている。
【００４０】
一方、吐出時にクリーム状となる第２剤をエアゾール容器５ｂ内部に充填する場合には、図２（ｂ）のように構成されたエアゾール容器５ｂを図２（ａ）に示すエアゾール容器５ａの代わりに使用する。
つまり、プラスチック製のエアゾール容器５ｂは、プラスチック製のエアゾール容器５ａにおいて、内部に透明で弾性変形可能な内袋２１を設け、この内袋２１をマウンティングカップ１９に固定したものである。尚、エアゾール容器５ｂは、特に別段の記載がされていない限り、エアゾール容器５ａと全く同じ構成、材質となっており、作用、効果、取り扱い等もエアゾール容器５ａと同様である。
【００４１】
そして、このエアゾール容器５ｂには、第２剤が内袋２１の内部に充填され、内袋２１の外側となるエアゾール容器５ｂの内部には、第２剤を吐出口１１から吐出するための圧縮ガスが充填されており、使用者が、吐出ボタン１３を介してステム１５を押下すると、ガスの圧力によって内袋２１の中の第２剤が押し出されるようになっている。
【００４２】
尚、内袋２１の形成に使用される透明で弾性変形可能な材質としては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリルニトリル、ポリエチレンテレフタラート（ＰＥＴ）、ポリプロピレン、ビニール、ナイロン等の単層の合成樹脂製、及びこれらの積層体が挙げられるが、ＬＬＤＰＥ／ＥＶＯＨ／ＬＬＤＰＥ等の積層体が内容物及びガスの透過性を防ぐ点から好ましい。また、内袋２１の厚さは、０．１〜１．０ｍｍが内容物の保持性及び収縮性の点からは好ましい。
【００４３】
また、内袋２１を透明としたのは、内袋２１の内部に充填された第２剤の残量をより明瞭に確認できるようにするためであり、使用者は、第２剤（充填物１４）を、透明なエアゾール容器５ｂの側壁と、内袋２１を通して視認することができるようになっている。
【００４４】
一方、金属製のエアゾール容器３の内部の構成と染毛剤の充填の態様は、上記プラスチック製のエアゾール容器５ａ，５ｂの構造と略同様となっている。
つまり、泡状の染毛剤を取り扱う場合には、エアゾール容器３を図２（ａ）のように単層構造とし、クリーム状の染毛剤を取り扱う場合には、エアゾール容器３を図２（ｂ）のように多層構造として、エアゾール容器３の内部に、マウンティングカップ１９に固定するようにして内袋２１を設けている。
【００４５】
異なる点としては、内袋２１の有無にかかわらずエアゾール容器３の内面が既述のエポキシ樹脂等で被覆されていることと、金属製のエアゾール容器３はその内部を外部から見ることができないから、内袋２１は必ずしも透明な材質で形成されていないことである。
【００４６】
既述したように第１剤に含有される染料は、プラスチックの層を透過してしまうことから、上記材質の内袋２１の他、内面をエポキシフェノール樹脂、エポキシユリア樹脂、エポキシアミノ樹脂あるいはエポキシアミン樹脂でコーティング又はラミネート加工したアルミニウム製の内袋２１を使用すると、染料が内袋２１の外側へ漏出する心配がない。また、内袋２１の厚さは、０．１〜１．０ｍｍが内容物の保持性及び収縮性の点からは好ましい。
【００４７】
その他、金属製のエアゾール容器３及びプラスチック製のエアゾール容器５ａ，５ｂの上端に装着された前述のマウンティングカップ１９は、アルミニウム、アルマイト、ブリキ、ステンレス等の金属で形成されている。また、毛髪化粧剤と直接触れるステム１５、ハウジングは、耐薬品性を有するポリアセタール（ＰＯＭ）、ナイロン、ポリエチレン、ポリプロピレンなどの合成樹脂で形成されている。また、内袋２１は、マウンティングカップの端部に接続される。
【００４８】
そして、以上のような単層構造若しくは多層構造となっている金属製のエアゾール容器３に染毛剤の第１剤を充填し、透明なプラスチック製のエアゾール容器５ａ，５ｂに染毛剤の第２剤を充填すると、染料がエアゾール容器３から漏出しないし、染毛剤による容器の腐食を防止することができ、さらに、プラスチック製のエアゾール容器５ａ，５ｂ内部の第２剤の残量を使用者が確認できる。
【００４９】
また、プラスチック製のエアゾール容器５ａ，５ｂは、金属製のエアゾール容器と比較して弾性があるから、緩衝材として隣接する他のエアゾール容器を保護することができる。つまり、２剤吐出装置の搬送時には、プラスチック製のエアゾール容器５ａ，５ｂが車両の振動などによって周囲の金属製又はプラスチック製のエアゾール容器３，５ａ，５ｂに衝突しても、そのプラスチック製のエアゾール容器５ａ、５ｂが衝撃を吸収するので、周囲のエアゾール容器３，５ａ，５ｂを傷つけずに済む。  特に、プラスチック製のエアゾール容器５ａ，５ｂは、金属製のエアゾール容器３を外部の衝撃から保護することができるから、金属製のエアゾール容器３の内面に被覆された合成樹脂が剥がれ落ちるのを抑えることができる。
【００５０】
ここで、金属製のエアゾール容器３を外部の衝撃から一層保護するため、二剤吐出装置１のプラスチック製のエアゾール容器５ａ，５ｂを、図３に示すようなエアゾール容器２５に変形することもできる。尚、図３（ａ）は、凹陥部２３が形成されたプラスチック製のエアゾール容器２５の構成を表すエアゾール容器２５の側面図であり、図３（ｂ）は、凹陥部２３が形成されたプラスチック製のエアゾール容器２５を備えた二剤吐出装置２６の正面図である。
【００５１】
図３（ａ）に示すプラスチック製のエアゾール容器２５は、上記プラスチック製のエアゾール容器５ａにおいて、他の一端が閉塞された円筒状のエアゾール容器を該プラスチック製のエアゾール容器２５に係合するための凹陥部２３が、エアゾール容器２５の長手方向に沿って、エアゾール容器２５の側面に形成されたものである。
【００５２】
詳述すると、図３（ａ）に示すプラスチック製のエアゾール容器２５は、マウンティングカップ１９とステム１５と容器部１７からなり、容器部１７は、一端が閉塞された円筒状に形成され、その側面には、容器部１７の長手方向に垂直な面で容器部１７の側面の一部が円弧状となる凹陥部２３が、エアゾール容器２５の長手方向に沿って形成されている。そして、このような構成のプラスチック製のエアゾール容器２５は、二剤吐出装置２６のエアゾール容器２５として、図３（ｂ）に示すように、凹陥部２３で金属製のエアゾール容器３と係合され、吐出ヘッド７に固定されている。
【００５３】
尚、図３（ｂ）に示す二剤吐出装置２６は、上記吐出装置１のプラスチック製のエアゾール容器５ａ，５ｂを凹陥部を有するプラスチック製のエアゾール容器２５に変更し、さらに、二つのエアゾール容器３，２５が振動等により揺動し互いに衝撃を与えないようにするために、透明なシート状のフィルム２７を、エアゾール容器３，２５の側面側となる二つのエアゾール容器３，２５の外周に周回させて覆設した二剤吐出装置２６である。
【００５４】
つまり、透明なフィルム２７の面は、二つのエアゾール容器３，２５の側面に接するようにして、エアゾール容器３，２５の周りに周回され、その周回された透明なシート状のフィルム２７の内側には、エアゾール容器３，２５が収納されている。尚、透明なフィルム２７は、熱による収縮性を有するフィルム２７であり、エアゾール容器３，２５は、透明なフィルム２７により収縮包装され、互いに連結されている。そして、このような構成の二剤吐出装置２６は、図３（ｂ）に示されているように、内側が樹脂で被覆された金属製のエアゾール容器３をエアゾール容器２５の凹陥部で包囲するから、金属製のエアゾール容器３をプラスチック製のエアゾール容器２５で保護することができ、金属製のエアゾール容器３の内面の被覆が剥がれ落ちるのをより一層抑えることができる。
【００５５】
さらに、二つのエアゾール容器３，２５は、透明なシート状のフィルム２７により互いに固定されるから、互いのエアゾール容器３，２５が衝撃を与えることによるエアゾール容器３，５ａの損傷を防ぐことができる。また、透明なフィルム２７で周囲を覆っているから、透明なプラスチック製のエアゾール容器５ａの内部の充填物を視覚的に確認することもできる。
【００５６】
また、さらに、このように凹陥部で金属製のエアゾール容器３を係合すると、二つのエアゾール容器３，２５をよりコンパクトに配置できるし、二つのエアゾール容器３，２５は、境界が滑らかとなるように係合され、側面を透明なフィルム２７で覆われているから、使用者側にとって把持しやすい二剤吐出装置２６となる。
【００５７】
以上がエアゾール容器３，５ａ，５ｂ，２５と二剤吐出装置１，２６に関する説明であるが、上記金属製のエアゾール容器３及びプラスチック製のエアゾール容器５ａ，５ｂ，２５には、染毛剤の他、染毛剤の第１剤から染料を除いた毛髪脱色剤等の公知の毛髪脱色剤を充填することも可能である。
【００５８】
つまり、プラスチック製のエアゾール容器５ａ，５ｂ，２５には、過酸化水素を含有する毛髪脱色剤の第２剤を充填し、金属製のエアゾール容器３には、毛髪脱色剤の第１剤を充填すればよい。尚、染毛剤と同様に泡状の毛髪脱色剤は、内袋を備えたエアゾール容器５ｂに充填し、非泡状の毛髪脱色剤は、単層構造のエアゾール容器５ａに充填する。
【００５９】
また、前述したように染毛剤の第１剤を金属製のエアゾール容器３としたのは、染料が外部に漏出するのを防止するためであるから、染料を含有しない毛髪脱色剤の第１剤を充填するエアゾール容器として、金属製のエアゾール容器３を用いる必要性はなく、毛髪脱色剤の第１剤を金属製のエアゾール容器３に替えてプラスチック製のエアゾール容器５ａ，５ｂに充填することもできる。つまり、図１、図３に示した二剤吐出装置１，２６を構成する金属製のエアゾール容器３を、プラスチック製のエアゾール容器５ａ，５ｂに替え、それに毛髪脱色剤の第１剤を充填してもよい。
【００６０】
次に吐出ヘッド７と固定具９について説明する。尚、吐出ヘッド７には、本出願人が発明した吐出ヘッド７（特開２０００−１０９１５０）が使用されている。
吐出ヘッド７は、図１に示すように、第１剤が充填された金属製のエアゾール容器３及び第２剤が充填されたプラスチック製のエアゾール容器５ａの端部である上端部に取り付けられ、エアゾール容器３，５ａを並列に固定している固定具９を、覆うようにして一対のエアゾール容器３，５ａの上端部に係合され、さらに、吐出ヘッド７は、固定具９と固定されることにより、二つのエアゾール容器３，５ａは吐出ヘッド７に連結、固定されている。
【００６１】
固定具９には、エアゾール容器３，５ａを並列に並べて固定するための固定孔２８が二つ形成されており、この固定孔２８にエアゾール容器３，５ａの上端部を挿入することによって、エアゾール容器３，５ａは固定具９に固定されるようになっている。また、吐出ヘッド７を固定するための固定用突起２９がステム１５の配列方向の固定具９の両端に設けられている。尚、この固定具９によりエアゾール容器３，５ａのステム１５は、並列に配置されるから、以下では、並列に並んだステム１５の配列方向を単に配列方向と表現する。また、ステム１５を押下する方向を単に押下方向と表現とする。
【００６２】
図４は、吐出ヘッド７の分解斜視図である。この吐出ヘッド７は、断面略楕円状に形成された筒状のヘッド本体３１と、ヘッド本体３１の中空部に押下方向に沿って摺動自在に収納され、エアゾール容器からステム１５を介して排出された充填物を予め定められた外部に排出するノズル４１と、ヘッド本体３１の中空部に収納され固定されて、外部からの操作によりノズル４１を押下方向に押下することができる操作部５１とを備えている。
【００６３】
そして、ヘッド本体３１は、その下部に固定具９を収納することができ、その上部にノズル４１を押下方向に沿って、摺動できるように収納することができるようになっている。以下、固定具９を収納する空間を固定具収納空間、ノズル４１を収納する空間をノズル収納空間と表現する。
【００６４】
つまり、ヘッド本体３１のノズル収納空間を構成する側壁には、ノズル４１の押下方向に摺動自在とするために、前方壁と後方壁の中央に夫々第１切欠部３２と第２切欠部３３とが設けられ、ヘッド本体３１の側壁の内側側面には、ノズル４１の摺動範囲を限定するための摺動限定帯体３４が周設されている。そして、この摺動限定帯体３４の上方となるヘッド本体３１の内側には、ノズル収納空間に収納されたノズル４１を押下方向に沿って、スムーズに摺動させるためのノズル摺動片３５が設けられている。
【００６５】
また、ノズル収納空間の配列方向の両端で対向する側方壁には、操作部５１の後述する第１突設片５８に係合して、操作部５１を固定するための第１係合部３６が設けられ、一方、第１切欠部３２の切欠面には、後述する第２突設片５９に係合して、操作部５１を固定するための第２係合部３７が穿設されている。
【００６６】
さらに、ヘッド本体３１の側方壁の外側面には、上方及び下方の両端部が配列方向に沿って揺動自在に取り付けられ、ヘッド本体３１の外側側面に沿った形状の一対の揺動片３８が設けられている。この揺動片３８は、両端部の中央で軸支され、その下部に、固定具９の固定用突起２９に係合可能なヘッド固定用孔が穿孔されている。
【００６７】
次に、ノズル４１は、押下方向に垂直な平面に対し、断面トラック状に形成された中空状のノズル本体４２と、このノズル本体４２の前方側面に突設され、ノズル本体４２の長手方向に横長な断面トラック状に形成され、エアゾール容器から排出された内容物を外部に排出するノーズ部４３と、ノズル本体４２の下面に設けられ、ステム１５に水密に係合して、エアゾール容器から排出された内容物をノズル本体４２に送出する断面円筒状の一対のステム係合部４４とからなる。
【００６８】
ここで、トラック状とは、陸上競技などに使われるトラックのように、長手方向両端が円弧状で、その長手方向に垂直な両端が直線状に形成されている形状をいう。このうち、ノズル本体４２とノーズ部４３の内部空間には、配列方向に対し左右両側を隔離する仕切板４６が設けられている。そして、仕切板４６により隔離された左右のそれぞれの空間に、筒状に形成されたステム係合部４４が連通している。
【００６９】
尚、ノズル本体４２の上面（以下「操作部当接面４２ａ」と呼ぶ）は、押下方向に対して垂直な平面状に形成されている。また、ノーズ部４３の先端には、仕切板４６が設けられていない導出路が形成されている。また、尚、上記吐出ヘッド７の吐出口１１は、このノーズ部４３の先端である開口部のことをいう。
【００７０】
次に、操作部５１は、主に、操作部本体５４と、この操作部本体５４にヒンジ部５３により揺動自在に取り付けられた操作部揺動部５２とからなる。このうち操作部揺動部５２は、押下方向に垂直な平面に沿って、配列方向に沿った方向に長尺なトラック状に形成され、配列方向に沿った前方の一辺が、ヒンジ部５３を介して操作部本体５４に接続されることによって、操作部本体５４に対して揺動自在に取り付けられている。
【００７１】
次に、ヒンジ部５３は、配列方向に沿って長尺状に形成され、操作部揺動部５２と操作部本体５４とを接続している。次に、操作部本体５４は、操作部揺動部５２の前方の直線部分と、配列方向両端の円弧上の部分とに沿って、押下方向に垂直な平面に沿った帯状の周囲部５４ａと、周囲部５４ａの外周端部に、押下方向に沿って平面状に形成され、下方に向かって立設された壁部５４ｂとからなる。また、この壁部５４ｂには、前方側の外側壁面に前方に向かって立設され、その周囲側面の形状が、第１切欠部３２と同一形状に形成された切欠部嵌合部５６を備えており、この切欠部嵌合部５６の下端には、ヘッド本体３１に収納されたノーズ部４３が押下方向に移動できる大きさであって、下方に開口したコ字状のノズル摺動切欠部５５が形成されている。
【００７２】
また、操作部揺動部５２には、ヒンジ部５３が設けられた側と反対側の一辺側に、操作部揺動部５２を揺動するための吐出ボタン１３が設けられている。
さらに、壁部５４ｂには、配列方向に沿って対象な外側外壁の上端部に、外方に向かって突設された、第１係合部３６に係合して、操作部５１をヘッド本体３１の中空部内に固定するための一対の第１突設片５８を備えており、また、切欠部嵌合部５６には、その厚さ方向側面に、第２係合部３７に係合する第２突設片５９が一対設けられている。
【００７３】
また、さらに、操作部揺動部５２には、押下方向下方側の裏面に、押下方向に沿ったステム１５を通る線上に配置され、配列方向に垂直な面に沿った断面が半円状に形成された同じ大きさの一対の押下部６０を備えている。
そして、この吐出ヘッド７は、ヘッド本体３１の上部の開口部からノズル４１、操作部５１の順に挿入され、ヘッド本体３１の第１係合部３６、第２係合部３７の夫々と、操作部５１の第１突設片５８、第２突設片５９とを係合することによって組み立てられる。
【００７４】
そして、このように組み立てられた吐出ヘッド７に、エアゾール容器３，５ａが固定具９を介して固定されると、ノズル４１が摺動限定帯体３４から浮き、ノズル４１の上面は、操作部揺動部５２の裏面に形成された押下部６０に接触する。
【００７５】
そして、このような状態で、吐出ボタン１３を押下すると、操作部揺動部５２の押下部６０が、ノズル４１の上面を押下し、ノズル４１はステム係合部４４でステム１５を押下して、エアゾール容器３，５ａの内部の充填物が、ノーズ部４３の先端である吐出口１１から吐出される。
【００７６】
以上、本発明の実施の形態について説明したが、本発明の二剤吐出装置１，２６は、本発明の要旨に反しない限り、上記実施形態に限定されるものではなく、種々の態様を採ることができる。
例えば、二剤吐出装置１，２６は、内部に充填された充填物の量が視覚的に確認できればよいので、プラスチック製のエアゾール容器は、半透明なエアゾール容器であってもよいし、エアゾール容器の一部だけが透明に形成されていてもよい。
【００７７】
また、二剤吐出装置１，２６には、フィルム２７に代えて、吐出ヘッド７に連結されたエアゾール容器３，５ａを収納する透明なプラスチック製のケースを設けても良い。このようにすると、エアゾール容器３，５ａ内部の充填物の残量を視認可能としつつ、二剤吐出装置１のエアゾール容器３，５ａを外部の衝撃から保護できるし、二剤吐出装置１を把持しやすくすることができる。
【００７８】
また、多層構造のエアゾール容器５ｂは、充填物を一つの内袋２１に収納した二重構造のエアゾール容器５ｂ（図２（ｂ））以外に、複数の内袋２１を用いて、三重以上の多層構造にしてもよい。このようにすると、外部からの衝撃等により、内袋２１が破損し、その内袋２１から充填物が漏出しても、別の内袋２１で充填物１４を滞留させることができるから、内袋２１が破損することによってそのエアゾール容器５ｂから充填物１４を外部に排出できなくなるのを防止することができるし、金属製のエアゾール容器３の場合おいては、金属面との接触による金属腐食をより一層抑えることができる。
【００７９】
その他、プラスチック製のエアゾール容器２５に形成された凹陥部２３は、上記のように形成しなくとも、金属製のエアゾール容器３を係合し、衝撃から保護するように形成されていればよく、金属製のエアゾール容器３の形状に合わせて適宜形状を変更することができる。
【図面の簡単な説明】
【図１】  二剤吐出装置１の構成を表す概略図であり、その斜視図である。
【図２】  エアゾール容器５ａ，５ｂの構成を表す説明図である。
【図３】  凹陥部を有するエアゾール容器２５と、それを用いた二剤吐出装置２６の構成を表す説明図である。
【図４】  二剤吐出装置１，２６の吐出ヘッド７の構成を表す斜視図である。
【符号の説明】
１，２６…二剤吐出装置    ３，５ａ，５ｂ，２５…エアゾール容器
７…吐出ヘッド    ９…固定具    １１…吐出口
１３…吐出ボタン    １４…充填物    １５…ステム
１７…容器部  １９…マウンティングカップ  ２１…内袋
２３…凹陥部  ２７…フィルム
【図１】
0005005125.tif 000002
【図２】
0005005125.tif 000003
【図３】
0005005125.tif 000004
【図４】
0005005125.tif 000005